(57)【要約】【課題】機器点検毎に点検用建屋を設置する手間が掛からないようにし、点検対象機器の位置に合せて屋外機器点検用可動建屋を固定することができるとともに、直接点検機器を吊り込むことができるようにする。【解決手段】ドーム型屋根に支持されたスライド式屋根と、低部を支持する開閉式床と、この床に設けられた牽引サポートと、床を支持するタイヤと、屋根に設けられた昇降用のホイストと、側壁に設けられたドア、窓、空気調和機、および換気扇と、スライド式屋根を支持する固定用サポートとを備える。【選択図】  図１
2008002121.tif 000002
【特許請求の範囲】
【請求項１】
屋外に設置された機器を点検する機器点検用可動建屋であって、側壁により支持されたドーム型屋根と、このドーム型屋根に設けられた開口部を開閉するスライド式屋根と、前記側壁を支持するとともに床面に開閉可能なハッチを有する開閉式床と、この床に設けられ車両等への連結による牽引が可能な牽引サポートと、前記床を支持する走行用のタイヤと、前記屋根に設けられ点検対象となる機器を昇降する昇降用のホイストと、前記側壁に設けられたドア、窓、空気調和機および換気扇と、前記床を地面等に固定支持する固定用サポートと、前記ドーム型屋根の近傍に設けられた電源引込箱と、前記床の上方側面を開閉するシャッタと、前記床上に設置され点検用機器を支持する点検架台とを備えたことを特徴とする屋外機器点検用可動建屋。
【請求項２】
前記固定用サポートが前記床と一体に構成されている請求項１記載の屋外機器点検用可動建屋。
【請求項３】
前記ホイストを支持するホイストガータを備え、このホイストガータが前記側壁から外方に突き出ている請求項１記載の屋外機器点検用可動建屋。
【請求項４】
請求項１〜３の屋外機器点検用可動建屋を使用して、屋外機器の点検を行うことを特徴とする屋外機器点検方法。
【発明の詳細な説明】
【技術分野】
【０００１】
本発明は、屋外に設置された機器の点検に際して移動設置することが可能な屋外機器点検用可動建屋および点検方法に関する。
【背景技術】
【０００２】
一般に、屋外設置機器の点検を行う場合には、点検対象機器付近に点検用仮設建屋を設置して点検するか、点検対象機器を車両で移動して、メンテナンス建屋またはメーカ等の工場において点検することが行われている。
【０００３】
このように、従来では点検用仮設建屋を設置し、点検に必要な附帯設備や機材等を準備して点検するか、点検機器を車両にて構内または一般道を輸送して別の場所にて点検を実施し、点検後に再度車両にて輸送して復旧することが行われている（例えば、特許文献１参照）。
【特許文献１】特開平１１−９１６３０号公報
【発明の開示】
【発明が解決しようとする課題】
【０００４】
上述した従来の屋外機器点検においては、以下のように種々の課題がある。まず、毎回の点検毎に仮設の点検用建屋を構築したり、附帯設備や機材等を準備するのことに多くの手間が費やされている。
【０００５】
また、構内の建屋で点検する際には、車両による移動が発生するとともに、エリア確保や他の機器の点検スケジュール等との調整が必要となっている。
【０００６】
さらに、外部メーカの工場等にて検を行う際には、一般道の輸送が必要となり、重量および高さ制限等のために、機器の一部取外しなどが発生してしまう。
【０００７】
本発明はこのような事情に鑑みてなされたもので、点検に必要な附帯設備や機材を点検用可動建屋に設置し、点検対象機器の設置場所に移動することができるようにすることにより、点検の段取りに要する時間の短縮と、環境の向上等、効率良い作業を実施することで、屋外機器点検用可動建屋とそれを用いて屋外設置機器を効率よく点検することができる点検方法を提供することを目的とする。
【課題を解決するための手段】
【０００８】
上述の目的を達成するため、本発明では、屋外に設置された機器を点検する機器点検用可動建屋であって、側壁により支持されたドーム型屋根と、このドーム型屋根に設けられた開口部を開閉するスライド式屋根と、前記側壁を支持するとともに床面に開閉可能なハッチを有する開閉式床と、この床に設けられ車両等への連結による牽引が可能な牽引サポートと、前記床を支持する走行用のタイヤと、前記屋根に設けられ点検対象となる機器を昇降する昇降用のホイストと、前記側壁に設けられたドア、窓、空気調和機および換気扇と、前記床を地面等に固定支持する固定用サポートと、前記ドーム型屋根の近傍に設けられた電源引込箱と、前記床の上方側面を開閉するシャッタと、前記床上に設置され点検用機器を支持する点検架台とを備えたことを特徴とする屋外機器点検用可動建屋を提供する。
【０００９】
また、本発明では、前記機器点検用可動建屋を使用して、屋外機器の点検を行うことを特徴とする屋外機器点検方法を提供する。
【発明の効果】
【００１０】
本発明の屋外機器点検用可動建屋および点検方法によれば、機器点検毎に点検用建屋を設置する手間が掛からず、また点検対象機器の位置に合せて屋外機器点検用可動建屋を固定することができるとともに、直接点検機器を吊り込むことができる。したがって、点検の段取りに要する時間の短縮と、環境の向上等、効率良い作業を実施することができる。
【発明を実施するための最良の形態】
【００１１】
以下、本発明に係る屋外機器点検用可動建屋および点検方法の実施形態について図１ないし図１０を参照して説明する。
【００１２】
図１に全体構成を示すように、本実施形態の屋外機器点検用可動建屋５０は、左右１対の側壁３６，３６により支持された前後方向に長い固定構造のドーム型屋根１と、このドーム型屋根１の外側を覆うスライド式屋根２と、側壁３６の基部を支持する開閉式床３とを備えている。
【００１３】
開閉式床３は例えば平面視で前後方向に長い長方形状をなしており、この開閉式床３の長辺側に１対の側壁３６が対向して立上っている。これら各側壁３６の上端部に跨るように前後方向から見て下面側が内径となる部分円筒状のドーム型屋根１の直線状の両辺が支持されており、このドーム型屋根１の上側外周面にスライド式屋根２が被さり、ドーム型屋根１の軸方向に移動可能となっている。
【００１４】
床３の長手方向側面部には左右１対のフック状の牽引サポート４が設けられるとともに、床３には、走行車輪としての複数のタイヤ５が設けられ、これにより野外の路面上等での走行が可能となっている。なお、本実施形態ではタイヤ５としての車輪が全て従動輪である。また、ドーム型屋根２の一端側内面部位には左右方向に横長なガイドレール３７を介してホイスト６が設けられるとともに、側壁３６にはドア７、窓８、空気調和機９および換気扇１０等が設けられている。なお、図１には、床３上に点検対象となる点検機器１１を搭載した状態が示されている。
【００１５】
また、図２に一方の側面構成を示すように、本実施形態の屋外機器点検用可動建屋５０には、上述のドーム型屋根１、スライド式屋根２、開閉式床３、タイヤ５、ホイスト６、ドア７、窓８、空気調和機９および換気扇１０に加えて、床位置を固定するためのジャッキ等からなる固定用サポート１２と、電源引込箱１３と、ホイスト６を吊るためのホイストガータ１４とが設けられている。ホイストガータ１４はドーム型屋根１の下端高さ位置に前後方向に沿い、左右一対設けられ、ガイドレール３７を屋外機器点検用可動建屋５０の前後方向に移動することができるようになっている。また、固定用サポート１２は、例えば開閉式床３の下部に前後配置で対をなすとともに、下記の図３に示すように左右方向にも対をなし、計４体が配置されている。電源引込箱１３は、ホイスト６と前後方向反対側の位置で、ホイストガータ１４と略同一高さ位置に設けられている。
【００１６】
次に、図３に他方向の側面形状を示すように、本実施形態の屋外機器点検用可動建屋５０は、上述のドーム型屋根１、開閉式床３、タイヤ５および固定用サポート１２に加え、背面側を閉塞するための昇降可能なシャッタ１５を備えている。このシャッタ１５は、ドーム型屋根１の下部に設けられたシャッタボックス１６に収納可能とされており、下方への引出しにより建屋背面側を閉塞できるとともに、上昇およびシャッタボックス１６への収納により建屋背面側を開口できるようになっている。
【００１７】
また、図４に示すように、本実施形態における屋外機器点検用可動建屋５０は、上述のドーム型屋根１、開閉式床３、タイヤ５、ホイスト６、固定用サポート１２、ホイストガータ１４に加えて、床上に点検架台１７を備えた構成とされている。この点検架台１７を使用して、床上に搭載した点検機器１１を点検することができる。
【００１８】
さらに図５に示すように、本実施形態の屋外機器点検用可動建屋５０は、ドーム型屋根１、開閉式床３、タイヤ５、固定用サポート１２、ホイストガータ１４に加え、前面側にシャッタボックス１６と、左右方向に沿って開閉できる横開きシャッタ１８を備えている。
【００１９】
また、図６は屋外機器点検用可動建屋５０底面図であり、この図に示すように、本実施形態の屋外機器点検用可動建屋５０は、開閉式床３として、タイヤ５および固定用サポート１２に加えて、床３を開閉するための床開閉ハッチ１９を備え、タイヤは車輪軸２０により支持されている。床開閉ハッチ１９は例えば３枚のハッチ構造で、１枚ずつ任意に開閉することにより、開口面積を調整することが可能である。
【００２０】
さらにまた、図７（ａ）に示すように、本実施形態の屋外機器点検用可動建屋５０において、床開閉ハッチ１９の下面は平坦であり、同図（ｂ），（ｃ）に示すように、床開閉ハッチ１９の下面には、開閉ハッチ吊りサポート２１が設けられるとともに、開閉ハッチの上下隅角部位には重ね部としてのはめ込み部２２が設けられている。
【００２１】
図８（ａ），（ｂ）は、本実施形態の屋外機器点検用可動建屋５０のドーム型屋根１と、スライド式屋根２とを詳細に示している。ドーム型屋根１には開口部３８が設けられ、この部位に設けられたスライド式屋根受部２３に沿ってスライド式屋根２を移動することにより、開口部３６を開閉することができる。すなわち、スライド式屋根２には移動用滑車としてのスライド式屋根ローラ２４と、スライド式屋根２を前後方向（矢印方向）に移動するためのスライドロープ２５とが設けられ、スライドロープ２５はドーム型屋根１に設けたガイドローラ２６に支持されてロープ長手方向に移動できる構成とされている。
【００２２】
図９は、屋外機器点検用可動建屋５０の固定用サポート１２の構成を、拡大図として詳細に示している。すなわち、開閉式床３の下面には固定サポートベース３０が固定ネジ２９を介して取付けられ、この固定サポートベース３０に押し上げネジ部２８が下向きに挿入されており、押し上げネジ部２８の下端部に固定用サポート１２の本体部分が設けられている。そして、回転ハンドル２７によって固定用サポート１２を回転することで、押し上げネジ部２８に対して固定用サポート１２が昇降できるようになっている。
【００２３】
さらに、図１０は、ホイスト６の吊下げ構成を詳細に示している。この図１０に示すように、前記のホイスト６はホイスト横行レール３１に支持されており、ホイスト横行レール３１の両端には走行ローラ３３を介してホイストガータ１４が設けられている。ホイスト横行レール３１の上部にはホイスト駆動部３２が走行ローラ３３を介して横架可能に搭載されており、このホイスト駆動部３２はホイスト用ペンダント３５によって横行操作できるようになっている。
【００２４】
以上の実施形態によれば、車輪式構成を備えたことにより、点検するための各機器の設置場所に容易に移動することが可能になる。すなわち、点検に必要な附帯設備および機材が、一式揃っているので、種々の作業を容易に行うことができる。
【００２５】
また、スライド式屋根２が開閉することにより、上部からの機器搬入が容易に行えるようになる。また、空気調和機９を設けたことにより、屋外機器点検用可動建屋内部の温湿度を、調整し、快適な作業環境とすることができる。さらに、開閉式床３と床開閉ハッチ１９により地下ピットからの機器搬入が可能となる。また、屋外機器点検用可動建屋から張出したホイスト６により屋外設置の機器上部に覆い被さることができる。
【００２６】
また、本実施の形態によれば、点検機器１１の輸送を無くすることと占有の点検スペースが確保できるので、他の点検作業と錯綜せず機器点検工程に合せて実施できるため、待ち時間等無く無駄な工数を減らすことができる。
【００２７】
さらに、本実施形態によれば、点検対象機器の近傍に設置し、位置を固定するための固定用サポート１２が床と一体で、構成されて任意の場所に固定可能である。また、ホイスト６ガータが、建屋５０から外に突き出ていてホイスト６が建屋５０の外まで稼動する。さらにまた、建屋５０の中で使用する電源を一括して外部との取合いを電源引込箱１３とする。そして、建屋５０の正面および背面にシャッタ１５が取付けられて、外部と仕切ることが可能である。
【００２８】
また、機器点検用の足場用に低所用架台と高所用架台が設置され、点検ピットからの機器搬入用に建屋５０の床が３枚のハッチ構造になっている。そして、外部クレーンで搬出入するためのドーム型屋根１にローラの付いたスライド式屋根２が取付けられ、牽引サポート４を使用して人力または、車両にて移動することができる。
【００２９】
また、換気扇１０、窓８および空気調和機９により室内の温湿度等の環境を機器仕様に合せて調整することができる。また、点検する屋外設置機器の場所に点検用可動建屋５０を移動することができる。
【００３０】
以上のように、本実施形態においては、機器点検毎に点検用建屋を設置する手間が掛からず、点検対象機器の位置に合せて屋外機器点検用可動建屋５０を固定することができ、ホイストガータ１４が、建屋５０から外に突き出ていることで、直接点検機器１１を吊り込むことができる。
【００３１】
また、外部電源を電源引込箱１３に接続することにより点検用可動建屋５０で使用する全ての電気治具類に電源を供給することができ、正面および背面にシャッタ１５が取付けられていることで機材の搬出入が容易にできる。機器点検用の低所用および高所用架台が設置されていることにより点検機器１１の取扱場所に容易にアクセスすることができ、開閉式床３が３枚のハッチ構造になっていることで地下ピットからの機器搬入が容易に行える。
【００３２】
また、スライド式屋根２を取付けていることで、大型クレーンによる機器の搬出入を容易にできる。牽引サポート４を人力または、車両で引き可動することができる。換気扇１０、窓８および空気調和機９により室内の温湿度等の環境を機器仕様に合せて設定することができる。
【００３３】
さらに、屋外設置機器の点検を点検用可動建屋５０の移動により、機器本体の輸送を無くすることができ、屋外機器点検用可動建屋５０を使用して機器を点検することにより他の点検作業に左右されず作業ができ、品質精度を良くして無駄な工数を削減することができる。
【図面の簡単な説明】
【００３４】
【図１】本発明の一実施形態による屋外機器点検用可動建屋構成を示す斜視全体図。
【図２】本発明の一実施形態による屋外機器点検用可動建屋構成を示す側面図。
【図３】本発明の一実施形態による屋外機器点検用可動建屋構成を示す背面図。
【図４】本発明の一実施形態による屋外機器点検用可動建屋構成を示す正面透視図。
【図５】本発明の一実施形態による屋外機器点検用可動建屋構成を示す正面図。
【図６】本発明の一実施形態による屋外機器点検用可動建屋構成を示す下部面図。
【図７】（ａ），（ｂ），（ｃ）は本発明の一実施形態による屋外機器点検用可動建屋構成を示す床開閉ハッチ構造図。
【図８】（ａ），（ｂ）は本発明の屋外機器点検用可動建屋構成を示す開閉スライドドーム屋根構造図。
【図９】本発明の一実施形態による屋外機器点検用可動建屋の固定サポート構造構成を示す図。
【図１０】本発明の一実施形態による屋外機器点検用可動建屋のホイスト構造構成を示す図。
【符号の説明】
【００３５】
１  ドーム型屋根
２  スライド式屋根
３  開閉式床
４  牽引サポート
５  タイヤ
６  ホイスト
７  ドア
８  窓
９  空気調和機
１０  換気扇
１１  点検機器
１２  固定用サポート
１３  電源引込箱
１４  ホイストガータ
１５  シャッタ
１６  シャッタ収納ボックス
１７  点検架台
１８  横開きシャッタ
１９  床開閉ハッチ
２０  車輪軸
２１  開閉ハッチ吊りサポート
２２  開閉ハッチはめ込み部
２３  スライド式屋根受部
２４  スライド式屋根ロープ
２５  スライドロープ
２６  ガイドローラ
２７  回転ハンドル
２８  押し上げネジ部
２９  固定ネジ
３０  固定サポートベース
３１  ホイスト横行レール
３２  ホイスト駆動部
３３  走行ローラ
３４  横行ローラ
３５  ホイスト用ペンダント
３６  側壁
３７  ガイドレール
３８  開口部
５０  建屋
【図１】
2008002121.tif 000003
【図２】
2008002121.tif 000004
【図３】
2008002121.tif 000005
【図４】
2008002121.tif 000006
【図５】
2008002121.tif 000007
【図６】
2008002121.tif 000008
【図７】
2008002121.tif 000009
【図８】
2008002121.tif 000010
【図９】
2008002121.tif 000011
【図１０】
2008002121.tif 000012